【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて通信する方法であって、
第1のアクセスポイントによって、スケジュールを決定するステップであって、前記スケジュールは、第1のワイヤレス通信チャネル(CH1)上で1つまたは複数のワイヤレス局と通信するために第1のアクセスポイントによって使用され、前記スケジュールは、前記第1のワイヤレス通信チャネルとは異なる第2のワイヤレス通信チャネル(CH2)上で前記1つまたは複数のワイヤレス局と通信するために第2のアクセスポイントによってさらに使用される、ステップと、
前記第1のアクセスポイントによって、前記第1のワイヤレス通信チャネル上で、前記1つまたは複数のワイヤレス局に送信情報を送信するステップであって、前記送信情報は、前記1つまたは複数のワイヤレス局が前記第2のワイヤレス通信チャネル上で前記第2のアクセスポイントから送信を受信するための情報を含む、ステップと、
前記第1のアクセスポイントによって、前記第1のワイヤレス通信チャネル上で、前記スケジュールに従って前記1つまたは複数のワイヤレス局のうちの少なくとも1つに1つまたは複数のパケットを送信するステップと
を含む方法。
【請求項２】
前記スケジュールは、前記第1のワイヤレス通信チャネル上での通信のための第1のタイミングシーケンス、および前記第2のワイヤレス通信チャネル上での通信のための第2のタイミングシーケンスを含み、前記第2のタイミングシーケンスが前記第1のタイミングシーケンスに対して時間的にオフセットされることを除いて、前記第2のタイミングシーケンスの持続時間は、前記第1のタイミングシーケンスの持続時間と同じである、請求項1に記載の方法。
【請求項３】
前記第1のアクセスポイントによる前記1つまたは複数のワイヤレス局への通信のための前記スケジュールの時間は、前記第2のアクセスポイントによる前記1つまたは複数のワイヤレス局への通信のための前記スケジュールの時間と重複しない、請求項1に記載の方法。
【請求項４】
前記1つまたは複数のワイヤレス局が前記第1のアクセスポイントから前記1つまたは複数のパケットのうちの1つを受信しない場合に、前記1つまたは複数のワイヤレス局は、前記第2のワイヤレス通信チャネル上で前記第2のアクセスポイントから前記1つまたは複数のパケットのうちの少なくとも1つからのデータを受信する、請求項1に記載の方法。
【請求項５】
前記第1のアクセスポイントおよび前記第2のアクセスポイントは同じワイヤレス通信セルにある、請求項1に記載の方法。
【請求項６】
前記スケジュールは、前記第1のアクセスポイントによる先行する送信が前記第1のワイヤレス通信チャネルにおける干渉によって影響を受けているかどうかに少なくとも部分的に基づいて、競合期間の持続時間を決定し、前記第1のアクセスポイントは、前記競合期間の前記持続時間の間に前記第1のワイヤレス通信チャネル上で送信しない、請求項1に記載の方法。
【請求項７】
前記第1のアクセスポイントによって、前記第1のワイヤレス通信チャネルを占有するためにフィラーフレームをいつ送信するかを決定するステップをさらに含み、前記フィラーフレームをいつ送信するかを決定するステップは、
前記1つまたは複数のワイヤレス局のうちの1つの第1の処理遅延が分散フレーム間スペース(DIFS)よりも大きいとの判断、
前記第1のワイヤレス通信チャネル上に前記1つまたは複数のワイヤレス局のいずれかからもアクティブな送信がないとの判断、
第2の送信スロットが前記1つまたは複数のワイヤレス局のいずれにも割り当てられていないとの判断、
前記1つまたは複数のワイヤレス局のうちの1つからの確認応答フレームの受信がタイムアウトしているとの判断、
ダウンリンクメッセージの送信後に第3の送信スロットに残存している時間の量がDIFSよりも大きいとの判断
のうちの少なくとも1つに基づき、
前記スケジュールは、前記フィラーフレームを含む1つまたは複数のシステムサイクルおよび前記1つまたは複数のワイヤレス局と通信するための複数の送信スロットを含み、前記1つまたは複数のシステムサイクルの各々の持続時間は固定されており、前記複数の送信スロットの各々の持続時間は固定されている、請求項1に記載の方法。
【請求項８】
前記第1のアクセスポイントによって、前記1つまたは複数のワイヤレス局にポーリング情報を送信するステップであって、前記ポーリング情報は、前記1つまたは複数のワイヤレス局が前記ワイヤレス通信ネットワークにアクセスすることを求める要求を送り得るウィンドウを識別する、ステップと、
前記第1のアクセスポイントによって、前記1つまたは複数のワイヤレス局のうちの1つから前記ウィンドウ中に、アップリンクフレームを受信するステップであって、前記アップリンクフレームは前記要求を含む、ステップと、
前記第1のアクセスポイントによって、前記要求を受信したことに応答して、前記1つまたは複数のワイヤレス局のうちの前記1つに、排他的に前記スケジュール内で送信スロットを割り当てるステップと
をさらに含む、請求項1に記載の方法。
【請求項９】
前記1つまたは複数のワイヤレス局のうちの1つの媒体アクセス制御(MAC)アドレスを受信するステップと、
前記1つまたは複数のワイヤレス局のうちの1つの暗号キーを決定するステップと、
前記MACアドレスおよび前記暗号キーを含む暗号化メッセージを生成するステップと、
前記ワイヤレス通信ネットワークにおいて前記暗号化メッセージをブロードキャストするステップと、
前記ワイヤレス通信ネットワークにおいて認証された前記1つまたは複数のワイヤレス局のリストに前記MACアドレスおよび前記暗号キーを記憶するステップと、
前記リストに少なくとも部分的に基づいて、前記第1のアクセスポイントにアクセスを要求しているローミング局が前記ワイヤレス通信ネットワークにおいて認証されているかどうかを判断するステップと
をさらに含む、請求項1に記載の方法。
【請求項１０】
前記第1のアクセスポイントによって、前記第1のワイヤレス通信チャネルが利用不可能であると判断するステップと、
前記第1のアクセスポイントによって、前記第1のワイヤレス通信チャネルが利用不可能であることに基づいて、前記第2のアクセスポイントに、前記スケジュールによって規定されているよりも早く前記第2のワイヤレス通信チャネルにアクセスするよう指示を送信するステップと
をさらに含む、請求項1に記載の方法。
【請求項１１】
ワイヤレス通信ネットワークにおいて通信する方法であって、
ワイヤレス局によって、第1のワイヤレス通信チャネル上で、第1のアクセスポイントから送信情報を受信するステップであって、前記送信情報は、前記ワイヤレス局が前記第1のワイヤレス通信チャネル上で前記第1のアクセスポイント、また前記第1のワイヤレス通信チャネルとは異なる第2のワイヤレス通信チャネル上で第2のアクセスポイントと通信するための情報を含む、ステップと、
前記ワイヤレス局によって、前記第1のアクセスポイントから1つまたは複数のパケットが受信されていないと判断するステップと、
前記ワイヤレス局によって、前記1つまたは複数のパケットが受信されていないことに少なくとも部分的に基づいて、前記送信情報に少なくとも部分的に基づいて前記第1のワイヤレス通信チャネルから前記第2のワイヤレス通信チャネルに切り替える時間を決定するステップと、
前記ワイヤレス局によって、前記第2のワイヤレス通信チャネル上で前記第2のアクセスポイントから前記1つまたは複数のパケットのうちの少なくとも1つからのデータを受信するステップと
を含む方法。
【請求項１２】
前記ワイヤレス局によって、前記第1または前記第2のワイヤレス通信チャネルを占有するためにフィラーフレームを送信するステップ
をさらに含む、請求項11に記載の方法。
【請求項１３】
アクセスポイントであって、
スケジュールを決定するための手段であって、前記スケジュールは、第1のワイヤレス通信チャネル(CH1)上で1つまたは複数のワイヤレス局と通信するために第1のアクセスポイントによって使用され、前記スケジュールは、前記第1のワイヤレス通信チャネルとは異なる第2のワイヤレス通信チャネル(CH2)上で前記1つまたは複数のワイヤレス局と通信するために第2のアクセスポイントによってさらに使用される、手段と、
前記第1のワイヤレス通信チャネル上で、前記1つまたは複数のワイヤレス局に送信情報を送信するための手段であって、前記送信情報は、前記1つまたは複数のワイヤレス局が前記第2のワイヤレス通信チャネル上で前記第2のアクセスポイントから送信を受信するための情報を含む、手段と、
前記第1のワイヤレス通信チャネル上で、前記スケジュールに従って前記1つまたは複数のワイヤレス局のうちの少なくとも1つに1つまたは複数のパケットを送信するための手段と
を具備するアクセスポイント。
【請求項１４】
ワイヤレス局であって、
第1のワイヤレス通信チャネル上で、第1のアクセスポイントから送信情報を受信するための手段であって、前記送信情報は、前記ワイヤレス局が前記第1のワイヤレス通信チャネル上で前記第1のアクセスポイント、また前記第1のワイヤレス通信チャネルとは異なる第2のワイヤレス通信チャネル上で第2のアクセスポイントと通信するための情報を含む、手段と、
前記第1のアクセスポイントから1つまたは複数のパケットが受信されていないと判断するための手段と、
前記1つまたは複数のパケットが受信されていないことに少なくとも部分的に基づいて、前記送信情報に少なくとも部分的に基づいて前記第1のワイヤレス通信チャネルから前記第2のワイヤレス通信チャネルに切り替える時間を決定するための手段と、
前記第2のワイヤレス通信チャネル上で前記第2のアクセスポイントから前記1つまたは複数のパケットのうちの少なくとも1つからのデータを受信するための手段と
を含むワイヤレス局。
【請求項１５】
実行されるとコンピュータに請求項１から１２のいずれか一項の方法を実行させる命令を具備するコンピュータプログラム。